(57)【要約】【課題】カラー単色表示時の色相を損ねることなく、合成色の色相のみを自由に調整する。【解決手段】カラーフィルタアレイ１には、赤色カラーフィルタ１Ａと、緑色カラーフィルタ１Ｂと、青色カラーフィルタ１Ｃとが配列されている。それぞれのカラーフィルタ１Ａ，１Ｂ，１Ｃは、色素と無色透明材料とを含む。赤色カラーフィルタ１Ａの無色透明材料は、青色カラーフィルタ１Ｃの無色透明材料よりも透過率が低く、かつ緑色カラーフィルタ１Ｂの無色透明材料よりも透過率が高くなるように、調整されている。【選択図】    図１
2004341031.tif 000002
【特許請求の範囲】
【請求項１】
有彩色の第１色素を含む第１カラーフィルタと、前記第１色素と異なる色相を有する有彩色の第２色素を含む第２カラーフィルタとが少なくとも配列されたカラーフィルタアレイであって、
前記第１色素を除いた前記第１カラーフィルタの透過率は、前記第２色素を除いた前記第２カラーフィルタの透過率と異なるカラーフィルタアレイ。
【請求項２】
前記第１および第２カラーフィルタのうち少なくとも一方のカラーフィルタは、無彩色の色素をさらに含む請求項１に記載のカラーフィルタアレイ。
【請求項３】
前記第１および第２色素と異なる色相を有する有彩色の第３色素を含む第３カラーフィルタがさらに配列され、
前記第３色素を除いた前記第３カラーフィルタの透過率は、前記第１色素を除いた前記第１カラーフィルタの透過率および／または前記第２色素を除いた前記第２カラーフィルタの透過率と異なる請求項１または２に記載のカラーフィルタアレイ。
【請求項４】
有彩色の第１顔料および前記第１顔料を分散させる第１無色バインダを含む第１カラーフィルタと、前記第１顔料と異なる色相を有する有彩色の第２顔料および前記第２顔料を分散させる第２無色バインダを含む第２カラーフィルタとが少なくとも配列されたカラーフィルタアレイであって、
前記第１無色バインダの透過率は、前記第２無色バインダの透過率と異なるカラーフィルタアレイ。
【請求項５】
前記第１および第２カラーフィルタのうち少なくとも一方のカラーフィルタは、無彩色の顔料をさらに含む請求項４に記載のカラーフィルタアレイ。
【請求項６】
前記第１および第２顔料と異なる色相を有する有彩色の第３顔料および前記第３顔料を分散させる第３無色バインダを含む第３カラーフィルタがさらに配列され、
前記第３無色バインダの透過率は、前記第１無色バインダの透過率および／または前記第２無色バインダの透過率と異なる請求項４または５に記載のカラーフィルタアレイ。
【請求項７】
請求項１から６のいずれか１項に記載のカラーフィルタアレイを有する表示装置。
【発明の詳細な説明】
【０００１】
【発明の属する技術分野】
本発明は、カラーフィルタアレイに関する。本発明のカラーフィルタアレイは、カラー液晶表示装置などの表示装置に用いることができる。
【０００２】
【従来の技術】
近年のＩＴ技術の革新的な発展と共に、情報端末等で使用される情報が格段に増加、多様化している。これに伴い、ディスプレイに対するユーザの要望も多様化している。ディスプレイの表示色についても、色数が加速度的に増加するのと共に、色味についての要望も多様化し、各ユーザの要望する色味を実現することが必要不可欠である。
【０００３】
観測者によって色味の視認性が異なるので、各ユーザの要望する色味は、ほぼすべて異なるのが現状である。この色味については、用いるカラーフィルタにその多くが支配される。しかし、通常は、表示装置に用いられるカラーフィルタが赤（Ｒ），緑（Ｇ），青（Ｂ）の３色、あるいはシアン，マゼンダ，イエロの３色であり、人間の目に最も認識される白については、これら３色のカラーフィルタによる合成光で必然的に決定される。したがって、カラーフィルタの色相を変更することで、白の色相を調整せざるを得ない。
【０００４】
特許文献１には、Ｒ，Ｇ，Ｂの各カラーフィルタの膜厚がＢ＜Ｒ＜Ｇとなるように形成された液晶表示素子が開示されている。この液晶表示素子によれば、各色のカラーフィルタに対応する箇所の各液晶層の波長依存性と位相差板の波長依存性とを同程度に近づけることができる。これにより、各フィルタに対応する箇所の波長依存性に伴う干渉色による着色を抑えて、色相の向上を図ることができる。したがって、合成色としての白の色相を調整することが可能となる。
【０００５】
【特許文献１】
特開２００２−１４３３３号公報
【０００６】
【発明が解決しようとする課題】
しかし、各色のカラーフィルタの膜厚が設定値からずれるので、各色のカラーフィルタによる単色の色相が設定値からずれる。例えば、Ｒ，Ｇ，Ｂの３色の光によって合成される白色光の色相を調整するために、カラー表示時の色相そのものを変更せざるを得ない。したがって、カラーバランスが崩れることを避けることができない。
【０００７】
本発明は、カラー単色表示時の色相を損ねることなく、合成色の色相のみを自由に調整することを目的とする。
【０００８】
【課題を解決するための手段】
本発明の第１の局面によるカラーフィルタアレイは、有彩色の第１色素を含む第１カラーフィルタと、前記第１色素と異なる色相を有する有彩色の第２色素を含む第２カラーフィルタとが少なくとも配列されたカラーフィルタアレイであって、前記第１色素を除いた前記第１カラーフィルタの透過率は、前記第２色素を除いた前記第２カラーフィルタの透過率と異なる。ここで、「色素を除いたカラーフィルタの透過率」とは、カラーフィルタを構成する材料のうち色素以外の材料により形成された層の透過率をいう。
【０００９】
前記第１および第２カラーフィルタのうち少なくとも一方のカラーフィルタは、無彩色の色素をさらに含んでいても良い。
【００１０】
また、前記第１および第２色素と異なる色相を有する有彩色の第３色素を含む第３カラーフィルタがさらに配列され、前記第３色素を除いた前記第３カラーフィルタの透過率は、前記第１色素を除いた前記第１カラーフィルタの透過率および／または前記第２色素を除いた前記第２カラーフィルタの透過率と異なっていても良い。
【００１１】
本発明の第２の局面によるカラーフィルタアレイは、有彩色の第１顔料および前記第１顔料を分散させる第１無色バインダを含む第１カラーフィルタと、前記第１顔料と異なる色相を有する有彩色の第２顔料および前記第２顔料を分散させる第２無色バインダを含む第２カラーフィルタとが少なくとも配列されたカラーフィルタアレイであって、前記第１無色バインダの透過率は、前記第２無色バインダの透過率と異なる。
【００１２】
前記第１および第２カラーフィルタのうち少なくとも一方のカラーフィルタは、無彩色の顔料をさらに含んでいても良い。
【００１３】
前記第１および第２顔料と異なる色相を有する有彩色の第３顔料および前記第３顔料を分散させる第３無色バインダを含む第３カラーフィルタがさらに配列され、前記第３無色バインダの透過率は、前記第１無色バインダの透過率および／または前記第２無色バインダの透過率と異なっていても良い。
【００１４】
本発明のカラーフィルタアレイは、様々な表示装置に適用することができる。例えば、透過型、反射型または反射透過両用型のカラー液晶表示装置に適用することができる。
【００１５】
本発明のカラーフィルタアレイの作用について説明する。カラーフィルタを透過する光の色は、ＸＹＺ表色系の赤の刺激値（Ｘ）、緑の刺激値（Ｙ）および青の刺激値（Ｚ）の三刺激値として、式１のように表すことができる。
【００１６】
【式１】
Ｘ＝ＫΣＳ（λ）ｘ（λ）Ｒ（λ）
Ｙ＝ＫΣＳ（λ）ｙ（λ）Ｒ（λ）
Ｚ＝ＫΣＳ（λ）ｚ（λ）Ｒ（λ）
（但し、Ｓ（λ）は光源の光、ｘ（λ），ｙ（λ），ｚ（λ）は、それぞれ赤，緑，青に関する等色関数、Ｒ（λ）はカラーフィルタの透過率、Ｋ＝１００／（ΣＳ（λ）ｙ（λ））である。）
【００１７】
カラーフィルタの透過率を変更した場合、式１から、カラーフィルタの赤，緑，青の各刺激値は、比例的に変化することが分かる。例えば、カラーフィルタの透過率を元の透過率の８０％に変更した場合、赤，緑，青の各刺激値も、変更する前の元の値の８０％となる。
【００１８】
一方、カラーフィルタを透過する光の色相（色度）ｘ，ｙは、上記の各刺激値を用いて、式２のように表すことができる。
【００１９】
【式２】
ｘ＝Ｘ／（Ｘ＋Ｙ＋Ｚ）
ｙ＝Ｙ／（Ｘ＋Ｙ＋Ｚ）
【００２０】
カラーフィルタの透過率を変更させた場合、カラーフィルタの赤，緑，青の各刺激値は、比例的に変化するので、式２からわかるように、色相ｘｙは変更する前の元の値と変わらない。
【００２１】
次に、２以上の色相のカラーフィルタを透過して合成された合成光について考える。例えば、第１カラーフィルタの赤，緑，青の各刺激値をＸ１，Ｙ１，Ｚ１、第２カラーフィルタの赤，緑，青の各刺激値をＸ２，Ｙ２，Ｚ２とすると、これらカラーフィルタによる合成光の赤，緑，青の各刺激値は、（Ｘ１＋Ｘ２）／２，（Ｙ１＋Ｙ２）／２，（Ｚ１＋Ｚ２）／２で表される。式２から、合成光の色相ｘｙは、ｘ＝（Ｘ１＋Ｘ２）／（Ｘ１＋Ｘ２＋Ｙ１＋Ｙ２＋Ｚ１＋Ｚ２）、ｙ＝（Ｙ１＋Ｙ２）／（Ｘ１＋Ｘ２＋Ｙ１＋Ｙ２＋Ｚ１＋Ｚ２）で表される。
【００２２】
同様に、第３カラーフィルタがさらに配列されたカラーフィルタアレイでは、第３カラーフィルタの赤，緑，青の各刺激値をＸ３，Ｙ３，Ｚ３とすると、合成光の赤，緑，青の各刺激値は、（Ｘ１＋Ｘ２＋Ｘ３）／３，（Ｙ１＋Ｙ２＋Ｙ３）／３，（Ｚ１＋Ｚ２＋Ｚ３）／３で表される。式２から、合成光の色相ｘｙは、ｘ＝（Ｘ１＋Ｘ２＋Ｘ３）／（Ｘ１＋Ｘ２＋Ｘ３＋Ｙ１＋Ｙ２＋Ｙ３＋Ｚ１＋Ｚ２＋Ｚ３）、ｙ＝（Ｙ１＋Ｙ２＋Ｙ３）／（Ｘ１＋Ｘ２＋Ｘ３＋Ｙ１＋Ｙ２＋Ｙ３＋Ｚ１＋Ｚ２＋Ｚ３）で表される。
【００２３】
ここで、第１カラーフィルタの透過率を変更すると、第１カラーフィルタの色相ｘｙは変化しないが、第１カラーフィルタの赤，緑，青の各刺激値（Ｘ１，Ｙ１，Ｚ１）が変化するので、合成光の色相ｘｙは変化する。
【００２４】
従来のカラーフィルタアレイでは、色素を除いたカラーフィルタの透過率またはカラーフィルタ中の無色バインダの透過率が、いずれの色相のカラーフィルタにおいても略同じである。本発明の第１の局面によるカラーフィルタアレイは、第１色素を除いた第１カラーフィルタの透過率と、第２色素を除いた第２カラーフィルタの透過率とが異なる。また、本発明の第２の局面によるカラーフィルタアレイは、第１カラーフィルタ中の第１無色バインダの透過率と、第２カラーフィルタ中の第２無色バインダの透過率とが異なる。言い換えれば、本発明の第１および第２の局面によるカラーフィルタアレイは、２以上の色相のカラーフィルタのうち少なくとも１の色相のカラーフィルタの透過率が、同一色相の従来のカラーフィルタの透過率と比べて変化する。また、色素を除いたカラーフィルタの透過率またはカラーフィルタ中の無色バインダの透過率を変化させるので、各色相のカラーフィルタの色相は変化しない。したがって、カラー単色表示時の色相を損ねることなく、合成光の色相、例えば白の色相のみを自由に調整することができる。
【００２５】
【発明の実施の形態】
以下、図面を参照しながら本発明の実施形態を説明する。
【００２６】
（実施形態１）
図１は、本実施形態のカラーフィルタアレイを模式的に示す断面図である。本実施形態のカラーフィルタアレイでは、赤色の色素を含む赤色カラーフィルタ１Ａと、緑色の色素を含む緑色カラーフィルタ１Ｂと、青色の色素を含む青色カラーフィルタ１Ｃとが配列されている。カラーフィルタ１Ａ，１Ｂ，１Ｃは、ストライプ配列、デルタ配列、正方配列、ハニカム配列などにより配列される。
【００２７】
各色相のカラーフィルタは、色素（染料や顔料）と無色透明材料とを少なくとも含む。本実施形態におけるカラーフィルタの製造方法としては、染色法、電着法、印刷法、インクジェット法などが挙げられる。染色法では、無色透明材料としてカゼイン、ゼラチン、アクリル系樹脂などを用いて、無色透明パターンを形成した後、染色槽にてパターンを染色する。
【００２８】
電着法は、表面が無色透明材料で覆われた顔料を用いて、電気めっきによりカラーフィルタのパターンを形成する方法である。無色透明材料としては、アクリル樹脂、ポリエステル樹脂、エポキシ樹脂が用いられる。印刷法は、顔料を含んだインクを基材に転写してカラーフィルタのパターンを形成する方法である。インクジェット法は、顔料を含んだインクを基材上に噴出し、固定することにより、カラーフィルタのパターンを形成する方法である。
【００２９】
本実施形態のカラーフィルタアレイは、色素を除いたカラーフィルタの透過率が、各色相のカラーフィルタで異なる。言い換えれば、カラーフィルタを構成する材料のうち色素以外の材料（以下では、便宜上、無色透明材料ともいう。）により形成された無色透明フィルタの透過率が各色相で異なる。例えば、赤色カラーフィルタ１Ａの無色透明材料が、青色カラーフィルタ１Ｃの無色透明材料よりも透過率が低く、かつ緑色カラーフィルタ１Ｂの無色透明材料よりも透過率が高くなるように、調整されている。透過率の調整は、複数種の無色透明材料の中から１つを選択して、あるいは２つ以上を組み合わせることにより行うことができる。無色透明材料は、カラー単色表示時の色相ｘ，ｙに影響を与えないものであればよい。
【００３０】
また、各色相のカラーフィルタに用いられる無色透明材料として、透過率の同じものを用いて、無彩色の色素により透過率を調整することもできる。無彩色の色素を無色透明材料に混ぜても、カラーフィルタ中の有彩色の色素による透過光の色相に影響を与えず、透過率のみを調整することができる。なお、無彩色とは、白、灰、黒のように、色味を持たない色をいう。
【００３１】
本実施形態のカラーフィルタアレイによれば、赤色カラーフィルタ１Ａ、緑色カラーフィルタ１Ｂおよび青色カラーフィルタ１Ｃのそれぞれは、無色透明材料の透過率が異なるので、合成光の色相、例えば白表示時の色相を所望の値に調整することができる。また、各カラーフィルタ１Ａ，１Ｂ，１Ｃをそれぞれ透過する光は、従来のカラーフィルタアレイを用いた場合と色相が異ならず、Ｒ，Ｇ，Ｂのカラーバランスを崩さない。
【００３２】
本実施形態では、無色透明材料の透過率が３色のカラーフィルタの間でそれぞれ異なる。しかし、３色のカラーフィルタのうち１色のカラーフィルタの無色透明材料だけが他の２色のカラーフィルタの無色透明材料と透過率が異なっていても良い。
【００３３】
（実施形態２）
本実施形態のカラーフィルタアレイは、赤色の顔料およびこの顔料を分散させる第１無色バインダを含む赤色カラーフィルタと、緑色の顔料およびこの顔料を分散させる第２無色バインダを含む緑色カラーフィルタと、青色の顔料およびこの顔料を分散させる第３無色バインダを含む青色カラーフィルタとが配列されている。
【００３４】
本実施形態おける各カラーフィルタは、顔料分散法により製造することができる。顔料分散法としては、フォトリソグラフィ法、エッチング法などがある。フォトリソグラフィ法では、無色バインダとして感光性樹脂を用いる。顔料を無色の感光性樹脂中に分散させた顔料分散溶液を基板上に塗布した後、露光および現像を行って、カラーフィルタのパターンを形成する。感光性樹脂としては、アクリル系樹脂、ポリビニルアルコール系樹脂などが用いられる。
【００３５】
エッチング法は、非感光性の無色バインダに顔料を分散させた着色材料を形成し、フォトレジストを用いて、この着色材料をフォトエッチングする方法である。非感光性の無色バインダとしては、ポリイミド樹脂などが用いられる。
【００３６】
本実施形態のカラーフィルタアレイは、無色バインダの透過率が、各色相のカラーフィルタで異なる。例えば、赤色カラーフィルタ１Ａの第１無色バインダが、緑色カラーフィルタの第２無色バインダよりも透過率が高く、かつ青色カラーフィルタの第３無色バインダよりも透過率が低くなるように、調整されている。
【００３７】
また、各色相のカラーフィルタに用いられる無色バインダとして、透過率の同じものを用いて、無彩色の顔料により透過率を調整することもできる。無彩色の顔料を無色バインダに混ぜても、カラーフィルタ中の有彩色の顔料による透過光の色相に影響を与えず、透過率のみを調整することができる。
【００３８】
本実施形態のカラーフィルタアレイによれば、赤色カラーフィルタ、緑色カラーフィルタおよび青色カラーフィルタのそれぞれは、無色バインダの透過率が異なる。したがって、表示装置において、合成光の色相、例えば白表示時の色相を所望の値に調整することができる。また、各カラーフィルタをそれぞれ透過する光は、従来のカラーフィルタアレイを用いた場合と色相が異ならず、ＲＧＢのカラーバランスを崩さない。すなわち、無色バインダの透過率を変えることで、カラー単色表示時の色相を損ねることなく、合成色の色相調整を可能にする。
【００３９】
本実施形態では、無色バインダの透過率が３色のカラーフィルタの間でそれぞれ異なる。しかし、３色のカラーフィルタのうち１色のカラーフィルタの無色バインダだけが他の２色のカラーフィルタの無色バインダと透過率が異なっていても良い。
【００４０】
Ｒ，Ｇ，Ｂそれぞれまたはそのうちの少なくとも１つの色相のカラーフィルタについて、カラーフィルタに用いられている無色透明材料や無色バインダとして、他の色相のものと異なったものを使う。あるいは、Ｒ，Ｇ，Ｂのうち特定の色相のカラーフィルタにのみ、無彩色の色素や顔料を混ぜる。これにより、カラーフィルタ単色の透過率が変更するので、合成光である白色光を表示する際に、色相を好みに合わせて自由に変更することができる。このとき、Ｒ，Ｇ，Ｂ個々の色相は維持される。例えば、赤と緑の各カラーフィルタについて、青のカラーフィルタのバインダとは異なるバインダを用いて透過率を下げた場合には、Ｒ，Ｇ，Ｂの各色相を維持したまま、白色の色相ｘ，ｙを下げることができる。
【００４１】
（実施形態３）
本実施形態では、本発明のカラーフィルタアレイを用いた表示装置として、液晶表示装置を例にして説明する。図２は、本実施形態の液晶表示装置を模式的に示す断面図である。
【００４２】
本実施形態の液晶表示装置は、カラーフィルタ基板１０と、カラーフィルタ基板１０に対向する対向基板２０と、両基板１０，２０の間に介在する液晶層２とを有する。カラーフィルタ基板１０は、ガラス基板３上に、カラーフィルタアレイ１、透明電極４およびラビング処理された配向膜（不図示）が順次積層された構造を有する。カラーフィルタアレイ１は、赤色カラーフィルタ１Ａ、緑色カラーフィルタ１Ｂおよび青色カラーフィルタ１Ｃがストライプ状に配列されたパターンを有する。
【００４３】
一方、対向基板２０は、ガラス基板５上に、透明電極６およびラビング処理された配向膜（不図示）が順次積層された構造を有する。本実施形態の液晶表示装置は、液晶層２がパッシブ駆動されるので、透明電極４はストライプ状に設けられた列電極となり、透明電極６は列電極と直交するように設けられた行電極となる。両基板３，５の外側面には、所定の位相差をもった位相差板（不図示）や所定の光軸をもった偏光板７，８がそれぞれ貼り合わされている。また、カラーフィルタ基板１０側に、光源（不図示）が設けられている。
【００４４】
本実施形態の液晶表示装置を製造する工程について説明する。ガラス基板３上にカラーフィルタアレイ１を形成し、さらにオーバーコート処理を施す。オーバーコート膜（不図示）の上に、ＩＴＯ（インジウム錫酸化物）  などの透明導電膜をスパッタした後、フォトリソグラフィ法によって透明電極４にパターン加工する。その上にロールコーター法により配向膜を形成してラビング処理を行うことにより、カラーフィルタ基板１０が作成される。カラーフィルタ基板１０と同様にして、ガラス基板５上に透明電極６および配向膜７を形成した後、ラビング処理を行って、対向基板２０を作成する。
【００４５】
両基板１０，２０を互いに対向させて貼り合わせ、両基板１０，２０の間に液晶材料を注入して液晶層２を形成する。両基板１０，２０の外側面に位相差板（不図示）や偏光板７，８をそれぞれ貼り合わせ、さらに光源（不図示）を配置することによって、本実施形態の液晶表示装置が作成される。
【００４６】
本実施形態の液晶表示装置によれば、カラー単色表示時の色相を損ねることなく、合成色の色相を調整して表示することができる。具体的には、Ｒ，Ｇ，Ｂの各色相を損ねることなく、白の色相を調整して表示することができる。
【００４７】
本実施形態では、透過型の液晶表示装置について説明したが、本発明の表示装置は、反射型または反射透過両用型の液晶表示装置であっても良い。
【００４８】
本実施形態では、カラーフィルタアレイ１は、各色相のカラーフィルタ１Ａ，１Ｂ，１Ｃがストライプ状に配列されているが、カラーフィルタの配列はこれに限定されず、デルタ配列、正方配列などでも良い。
【００４９】
本実施形態では、Ｒ，Ｇ，Ｂの原色フィルタから構成されるカラーフィルタアレイを用いた場合について説明したが、シアン，マゼンダ，イエロの補色フィルタから構成されるカラーフィルタアレイを用いても良い。また、カラーフィルタの色相数は、４色以上であっても良い。例えば、シアン，マゼンダ，イエロ，緑の４色の補色フィルタを用いても良い。
【００５０】
【実施例】
本発明の実施例を説明するに先立って、従来のカラーフィルタアレイの色相について説明する。なお、色相の測定には、Ｃ光源を用いる。表１に、Ｃ光源によるホワイト・ポイント（ｗ．ｐ．）の色相を示す。色相は、色差計（東京電色製、ＴＣ１８００Ｍ）によって測定することができる。光源としてハロゲンランプを用い、光源を透過位置に配置する。光源の入射角度は０゜とする。
【００５１】
【表１】
2004341031.tif 000003
【００５２】
（従来例）
本従来例のカラーフィルタアレイは、顔料分散法（フォトリソグラフィ法）により製造されたＲ，Ｇ，Ｂの各カラーフィルタを有する。顔料を分散させる無色バインダとして、アクリル系樹脂を用いる。
【００５３】
表２に、本従来例のカラーフィルタアレイによる透過光の色相および明度（Ｙ）を示す。また、図３に、本従来例のカラーフィルタアレイによる透過光の色相図を示す。Ｒ，Ｇ，Ｂの各カラーフィルタを透過したそれぞれの光は、合成されて白色光となる。したがって、白色光の色相は、各カラーフィルタの色相に依存して、必然的に決定される。
【００５４】
【表２】
2004341031.tif 000004
【００５５】
図３に示すように、合成光としての白色光は、ホワイト・ポイント（ｗ．ｐ．）に対して黄色味を帯びていることが分かる。したがって、ユーザの要望等により、Ｒ，Ｇ，Ｂの各色相を重視する場合には、白の色相を変更できない。以下、従来のカラーフィルタアレイによる透過光の色相を基本形として、実施例や比較例と対比する。
【００５６】
（実施例１）
本実施例のカラーフィルタアレイでは、赤色カラーフィルタおよび緑色カラーフィルタそれぞれの無色バインダとして、従来例のものよりも透過率の低いバインダを用いる。具体的には、赤色カラーフィルタの無色バインダとして、従来例のものよりも透過率が１０％低いバインダを用い、緑色カラーフィルタの無色バインダとして、従来例のものよりも透過率が約１６％低いバインダを用いる。表３に、本実施例のカラーフィルタアレイによる透過光の色相および明度（Ｙ）を示す。また、図４に、本実施例のカラーフィルタアレイによる透過光の色相図を示す。
【００５７】
【表３】
2004341031.tif 000005
【００５８】
本実施例によれば、Ｒ，Ｇ，Ｂの各色相のカラーフィルタによる単色光の各色相は変化がない。すなわち、Ｒ，Ｇ，Ｂのカラーバランスを崩すことがない。一方、合成光としての白色光は、従来例の場合よりも色相がホワイト・ポイント（ｗ．ｐ．）に近づいている。言い換えれば、黄色味を帯びている従来例の白色光の色相を改善することができる。このことから、本発明のカラーフィルタアレイによれば、従来のものと透過率が異なる無色バインダを用いるカラーフィルタをＲ，Ｇ，Ｂの色相から適宜選択し、透過率を設定することによって、白の色相のみを自由に変更することが可能となる。
【００５９】
（実施例２）
本実施例のカラーフィルタアレイでは、無色バインダの透過率を従来例のものと変更せずに、赤色カラーフィルタおよび緑色カラーフィルタのそれぞれに黒色顔料を配合する。黒色顔料を配合することによって、赤色カラーフィルタは、従来例のものよりも透過率が約１１％低下し、緑色カラーフィルタは、従来例のものよりも透過率が約１５％低下する。表４に、本実施例のカラーフィルタアレイによる透過光の色相および明度（Ｙ）を示す。また、図５に、本実施例のカラーフィルタアレイによる透過光の色相図を示す。
【００６０】
【表４】
2004341031.tif 000006
【００６１】
本実施例によれば、実施例１と同様に、Ｒ，Ｇ，Ｂの各色相のカラーフィルタによる単色光の各色相は変化がない。また、合成光としての白色光は、従来例の場合よりも色相がホワイト・ポイント（ｗ．ｐ．）に近づいている。このことから、本発明のカラーフィルタアレイによれば、無彩色の顔料を用いるカラーフィルタをＲ，Ｇ，Ｂの色相から適宜選択し、透過率を設定することによって、白の色相のみを自由に変更することが可能となる。
【００６２】
（比較例）
本比較例のカラーフィルタアレイでは、赤色カラーフィルタおよび緑色カラーフィルタそれぞれの色相を青味寄りに変更する。表５に、本比較例のカラーフィルタアレイによる透過光の色相および明度（Ｙ）を示す。また、図６に、本比較例のカラーフィルタアレイによる透過光の色相図を示す。
【００６３】
【表５】
2004341031.tif 000007
【００６４】
本比較例によれば、合成光としての白色光は、従来例の場合よりも色相がホワイト・ポイント（ｗ．ｐ．）に近づいている。しかし、赤色カラーフィルタおよび緑色カラーフィルタそれぞれの色相を青味寄りに変更しているので、Ｒ，Ｇ，Ｂのカラーバランスが崩れている。このように、カラーフィルタの色相を変更することによって、白の色相を自由に変更することが可能となるので、白表示だけに注目すれば、効果的である。しかし、カラーフィルタの色相を変更するので、カラーバランスが崩れることを避けることができない。
【００６５】
本発明のカラーフィルタアレイによれば、カラー単色表示時の色相を損ねることなく、白の色相のみを自由に調整することができる。白表示は、表示装置において最も表示頻度が高く、表示面積が大きいので、人間の目に最も認識されやすい。白表示は、Ｒ，Ｇ，Ｂの各カラーフィルタを出射する光の合成であるので、必然的に決定されてしまう。この白色の色相を好みに合わせて調整できることは非常に有益である。
【００６６】
【発明の効果】
本発明によれば、カラー単色表示時の色相を損ねることなく、合成色の色相のみを自由に調整することができる。
【図面の簡単な説明】
【図１】実施形態１のカラーフィルタアレイを模式的に示す断面図である。
【図２】実施形態３の液晶表示装置を模式的に示す断面図である。
【図３】従来例のカラーフィルタアレイによる透過光の色相図である。
【図４】実施例１のカラーフィルタアレイによる透過光の色相図である。
【図５】実施例２のカラーフィルタアレイによる透過光の色相図である。
【図６】比較例のカラーフィルタアレイによる透過光の色相図である。
【符号の説明】
１  カラーフィルタアレイ
１Ａ  赤色カラーフィルタ
１Ｂ  緑色カラーフィルタ
１Ｃ  青色カラーフィルタ
２  液晶層
３，５  ガラス基板
４，６  透明電極
７，８  偏光板
１０  カラーフィルタ基板
２０  対向基板
【図１】
2004341031.tif 000008
【図２】
2004341031.tif 000009
【図３】
2004341031.tif 000010
【図４】
2004341031.tif 000011
【図５】
2004341031.tif 000012
【図６】
2004341031.tif 000013